(57)【要約】【課題】机や作業テーブルに配設されたライトポールを使用時には起立させ、不使用時には机やテーブルの下部空間に収納できる机や作業テーブルを提供する。【解決手段】下方に空間部を有するテーブルの天板側部から起立するライトポールを備え、テーブルの縁端部より若干内側の天板下面に配設された軸受具と、軸受具にその先端が回動自在に軸支されるＬ字状の突起体を有するライトポールとで構成され、ライト使用時には、軸受具に軸支されたＬ字状の突起体を介して、ライトポールをテーブル側部に起立させ、ライト不使用時には軸受具に軸支されたＬ字状の突起体を介してライトポールをテーブルの天板下部に収納可能にしてなる作業テーブルによる。【選択図】  図１
2015177935.tif 000002
【特許請求の範囲】
【請求項１】
下方に空間部を有するテーブルの天板側部から起立するライトポールを備える作業テーブルにおいて、
テーブルの天板下面近傍の天板の縁端部より若干内側の天板下部の位置に配設された軸受具と、
前記軸受具にその先端が回動自在に軸支されるＬ字状の突起体を有するライトポールとで構成され、
ライト使用時には、前記軸受具に軸支されたＬ字状の突起体を介して、ライトポールをテーブル側部に起立させ、ライト不使用時には前記軸受具に軸支されたＬ字状の突起体を介してライトポールをテーブルの天板下部に収納可能にしてなることを特徴とする作業テーブル。
【請求項２】
下方に空間部を有するテーブルの天板側部から起立するライトポールを備える作業テーブルにおいて、
テーブルの天板下面の前端縁部より若干内側の位置に配設された軸受具と、
前記軸受具にその先端が回動自在に軸支されるＬ字状の突起体を有するライトポールとで構成され、
ライト使用時には、前記軸受具に軸支されたＬ字状の突起体を介して、ライトポールをテーブル側部に起立させ、ライト不使用時には前記軸受具に軸支されたＬ字状の突起体を介してライトポールをテーブルの天板下部に収納可能にしてなることを特徴とする作業テーブル。
【請求項３】
軸受具と前記軸受具に回動自在に軸支されるＬ字状の突起体とが、その相対向する面にそれぞれ設けられた互いに噛み合う歯を有してなり、ライトポールが起立又は収納された状態では互いの歯が噛み合って前記Ｌ字状の突起体の回動を阻止し、かつ前記軸受け具には互いに噛み合った状態にある歯の噛み合いを解除してＬ字状の突起体の回動を可能にするロック解除ボタンが設けられてなることを特徴とする請求項１又は２に記載の作業テーブル。
【請求項４】
テーブル天板の下部に、前記ライトポールの起立時に前記突起体の下面に当設してライトポールの不測の転倒を防止し、ライトポール収納時には前記突起体下面への当接を解除可能にしてなる突起体支持具を付設してなることを特徴とする請求項１〜３のいずれか１項に記載の作業テーブル。
【請求項５】
ライトポールが、その上端部の関節部を介して屈折自在に横設されたアームを有し、前記アームの先端にライトが付設されてなることを特徴とする請求項１〜４のいずれか１項に記載の作業テーブル。
【請求項６】
作業テーブルが歯科・医科実習用のものであることを特徴とする請求項１〜５のいずれか１項に記載の作業テーブル。
【発明の詳細な説明】
【技術分野】
【０００１】
下方に空間部を有するテーブルにおいて、天板側部からライトポールが起立でき、また天板下部に収納可能な作業テーブルに関する。
【背景技術】
【０００２】
従来、作業者の手元を照らすライトを保持するライトポールを備えた机や作業テーブルにおいては、前記ライトポールはライト不使用時にも机や作業テーブルに起立しており、該机や作業テーブルを別の用途で使用するときに邪魔になる場合がある。そういう場合、作業者はライトポールを机や作業テーブルから取り外さなければならないことになり、取り外し取り付けという余分な作業が発生する。
【発明の概要】
【発明が解決しようとする課題】
【０００３】
本発明は上記背景技術に鑑みてなされたもので、机や作業テーブルに配設されたライトポールを使用時には起立させ、不使用時には机やテーブルの下部空間に収納できる机や作業テーブルを提供しようとするものである。
【課題を解決するための手段】
【０００４】
本発明者らは上記課題を下記の手段により解決した。
（１）下方に空間部を有するテーブルの天板側部から起立するライトポールを備える作業テーブルにおいて、
テーブルの天板下面近傍の天板の縁端部より若干内側の天板下部の位置に配設された軸受具と、
前記軸受具にその先端が回動自在に軸支されるＬ字状の突起体を有するライトポールとで構成され、
ライト使用時には、前記軸受具に軸支されたＬ字状の突起体を介して、ライトポールをテーブル側部に起立させ、ライト不使用時には前記軸受具に軸支されたＬ字状の突起体を介してライトポールをテーブルの天板下部に収納可能にしてなることを特徴とする作業テーブル。
（２）下方に空間部を有するテーブルの天板側部から起立するライトポールを備える作業テーブルにおいて、
テーブルの天板下面の前端縁部より若干内側の位置に配設された軸受具と、
前記軸受具にその先端が回動自在に軸支されるＬ字状の突起体を有するライトポールとで構成され、
ライト使用時には、前記軸受具に軸支されたＬ字状の突起体を介して、ライトポールをテーブル側部に起立させ、ライト不使用時には前記軸受具に軸支されたＬ字状の突起体を介してライトポールをテーブルの天板下部に収納可能にしてなることを特徴とする作業テーブル。
【０００５】
（３）軸受具と前記軸受具に回動自在に軸支されるＬ字状の突起体とが、その相対向する面にそれぞれ設けられた互いに噛み合う歯を有してなり、ライトポールが起立又は収納された状態では互いの歯が噛み合って前記Ｌ字状の突起体の回動を阻止し、かつ前記軸受け具には互いに噛み合った状態にある歯の噛み合いを解除してＬ字状の突起体の回動を可能にするロック解除ボタンが設けられてなることを特徴とする（１）又は（２）に記載の作業テーブル。
（４）テーブル天板の下部に、前記ライトポール起立時に前記Ｌ字状の突起体の下面に当接してライトポールの不測の転倒を防止し、ライトポール収納時には前記突起体下面への当接を解除可能にしてなる突起体支持具を付設してなることを特徴とする（１）〜（３）のいずれか１項に記載の作業テーブル。
（５）ライトポールが、その上端部の関節部を介して屈折自在に横設されたアームを有し、前記アームの先端にライトが付設されてなることを特徴とする（１）〜（４）のいずれか１項に記載の作業テーブル。
（６）作業テーブルが歯科・医科実習用のものであることを特徴とする（１）〜（５）のいずれか１項に記載の作業テーブル。
【発明の効果】
【０００６】
本発明の作業テーブルにおいて下記の効果が発揮できる。
〈１〉下方に空間部を有するテーブル天板の側部から起立するライトポールを備える作業テーブルにおいて、
テーブルの天板下面近傍の天板の縁端部より若干内側の天板下部の位置に配設された軸受具と、前記軸受具にその先端が回動自在に軸支されるＬ字状の突起体を有するライトポールとで構成され、
ライト使用時には、ライトポールを前記軸受具を介して、テーブル側部に起立させ、ライト不使用時には前記軸受具を介してライトポールをテーブルの天板下部に収納可能にしているので、
ライト不使用時における作業テーブル上には突出物がなく、テーブルの全表面が作業用として広く使用でき、他の作業用途にも円滑に使用できる。また、すっきりとした外観となりデザイン性にも優れる。
さらに、テーブルの天板の四方いずれの天板側部からもライトポールを起立・収納できるよう構成でき、テーブルの大きさや用途にあわせ様々なテーブルに適用することができる。
〈２〉下方に空間部を有するテーブル天板の側部から起立するライトポールを備える作業テーブルにおいて、
テーブル天板下面の前端縁部より若干内側の位置に配設された軸受具と、前記軸受具にその先端が回動自在に軸支されるＬ字状の突起体を有するライトポールとで構成され、
ライト使用時には、ライトポールを前記軸受具を介して、テーブル側部に起立させ、ライト不使用時には前記軸受具を介してライトポールをテーブルの天板下面に収納可能にしているので、
上記〈１〉の効果と同様に、ライト不使用時における作業テーブル上に突出物がなく、他の用途にも円滑に使用できる。
【０００７】
〈３〉軸受具と前記軸受具に回動自在に軸支されるＬ字状の突起体とが、その相対向する面にそれぞれ設けられた互いに噛み合う歯を有してなり、ライトポールが起立又は収納された状態では互いの歯が噛み合って前記Ｌ字状の突起体の回動を阻止し、かつ前記軸受け具には互いに噛み合った状態にある歯の噛み合いを解除してＬ字状の突起体の回動を可能にするロック解除ボタンが設けられているので、
ライトポールの起立・収納が、片手で解除ボタンを押しながらもう一方の手で前記Ｌ字状の突起体を回動させることによって容易に行え、かつライトポールの起立・収納完了後に前記解除ボタンから手を離すとコイルばね等の付勢によって前記軸受具とＬ字状の突起体との相対向する面の歯が互いに噛み合い、Ｌ字状の突起体の回動を阻止することからライトポールの起立時又は収納時の姿勢を安定、確実に保持できる。
〈４〉テーブル天板の下部に、前記ライトポールを起立に前記突起体の下面に当設してライトポールの不測の転倒を防止し、ライトポール収納時には前記突起体下面への当接を解除可能にしてなる突起体支持具を付設しているので、
上記〈３〉の効果に加えて、ライトポール起立時に前記突起体支持具を前記Ｌ字状の突起体に当接させることによって、ライトポールのより安全な起立を確保できる。
〈５〉ライトポールが、その上端部に関節部を介して屈折自在に横設されたアームを有し、前記アームの先端にライトが付設されてなるので、
作業に必要な場所を効率よく照明でき作業性を高めることができ、また関節部を介してアームをライトポールに沿わせられることから、ライトポールをテーブル下面へコンパクトに収納できる。
〈６〉作業テーブルが歯科・医科実習用のものであるので、
上記〈１〉〜〈５〉の効果を備えた歯科・医科実習用テーブルが提供できる。
【図面の簡単な説明】
【０００８】
【図１】本発明の作業テーブルのライトポール起立時における斜視図
【図２】本発明の作業テーブルのライトポール収納時における斜視図（天板を取り外した状態で表示）
【図３】Ｌ字状の突起体と軸受具との軸支構造を示す斜視図
【図４】ライトポール起立状態と突起体支持具の作動説明図
【図５】ライトポール起立・収納時の操作とＬ字状の突起体と軸受具の動きの説明図
【発明を実施するための形態】
【０００９】
本発明の作業テーブルを実施するための形態を、実施例の図に基づいて説明する。
図１は本発明の作業テーブルのライトポール起立時における斜視図、図２は本発明の作業テーブルのライトポール収納時における斜視図（天板を取り外した状態で表示）、図３はライトポール起立状態と突起体支持具の作動説明図、図４はＬ字状の突起体と軸受具との軸支構造を示す斜視図、図５はライトポール起立・収納時の操作とＬ字状の突起体と軸受具の動きの説明図である。
図において１はテーブル、１ａは天板、２はライトポール、２ａはＬ字状の突起体、２ｂは関節部、２ｃはアーム、３はライト、４は軸受具、５は突起体支持具、６、６’は歯、７はロック解除ボタンを示す。
【００１０】
本発明の作業用テーブルは、図１の外観斜視図に示すように、下方に空間部を有するテーブル１の天板１ａ側部から起立するライトポール２を備え、テーブル１の天板１ａ下面の前端縁部より若干内側の位置に配設された軸受具４と、前記軸受具４にその先端が回動自在に軸支されるＬ字状の突起体２ａを有するライトポール２とで構成され、ライト３使用時には、ライトポール２を前記軸受具４を介して、テーブル１の側部に起立させ、ライト３不使用時には図２に示すように、前記軸受具４を介してライトポール２をテーブル１の天板１ａ下部に収納可能にしてなるものである。
本実施例においては、軸受具４は天板１ａの下面前端縁部より若干内側に配置しているが、仕様にあわせ、天板下面の前端縁部でなく天板下面の側端縁部や後端縁部より若干内側の位置、又はテーブル１の側壁内面の天板１ａ下面近傍の位置など、ライトポール２を屈折してテーブル１の下部に収納できる個所であればいずれの個所にも配設することができる。また、前記軸受具４を複数配置して、一つのテーブル１に複数のライトポール２を備えておけば、用途によっていずれかを選択して使用することができる。
そして図３に示すように、軸受具４と前記軸受具４に回動自在に軸支されるＬ字状の突起体２ａとが、その相対向する面にそれぞれ設けられた互いに噛み合う歯６，６’を有してなり、ライトポール２が起立又は収納された状態にあるときには互いの歯６，６’が噛み合って前記Ｌ字状の突起体２ａの回動を阻止し、かつ前記軸受具４には互いに噛み合った状態にある歯６，６’の噛み合いを解除してＬ字状の突起体２ａの回動を可能にするロック解除ボタン７が設けられている。
またテーブル１の天板１ａ下面に、前記ライトポール２を起立させたとき、前記Ｌ字状の突起体２ａの下面に当接してライトポール２の不測の転倒を防止し、ライトポール２収納時には前記突起体２ａ下面への当接を解除可能にしてなる突起体支持具５を付設している。
さらに、図１に見られるように、前記ライトポール２が、その上端部に関節部２ｂを介して屈折自在に横設されたアーム２ｃを有し、前記アーム２ｃの先端にライト３が付設されている。
【００１１】
次に図４、図５に基づいて、ライトポール２が図４（ａ）に示すように、テーブル１の前方側部に起立した状態からテーブル１の下部に収納するまでの手順について説明する。
図４（ａ）のようにライトポール２が起立した状態にある場合は、同図に見られるように、突起体支持具５は蝶番等の作用によってＬ字状の突起体２ａの下面に当接する位置まで手前に引き起こされ、ライトポール２の不測の転倒に備えている。そして図５（ａ）に示すように、軸受具４と前記軸受具４に回動自在に軸支されるＬ字状の突起体２ａとの相対向する面にそれぞれ設けられた歯６、６’が互いに噛み合い、Ｌ字状の突起体２ａの回動を阻止している。
したがって、図１に示すように、ライトポール２は安定して起立し、ライトポール２先端の関節部２ｂを介して屈曲自在に横設されたアーム２ｃ先端のライト３を作業に最適な位置に移動でき、また照明角度を任意に変更できるので、作業効率を高めるのに貢献している。
４図（ａ）の状態からライトポール２をテーブル１の下部に収納するには、まず前記アーム２ｃを関節部２ｂで折り曲げてライトポール２に沿わせた後（図示せず）、４図（ｂ）に示すように、前記Ｌ字状の突起体２ａの下面に当接する位置まで引き起こされていた突起体支持具５を回転させて前記Ｌ字状の突起体２ａの下面から離脱させる。
そして図５（ｂ）に示すようにロック解除ボタン７を片手の指で押して噛み合っていた歯６、６’を離脱させると同時に、他方の手でライトポール２を先に関節部２ｂで折り曲げられてライトポール２に沿わせたアーム２ｃともども前記軸受部４を介して１８０°回転する〔図５（ｃ）〕。
前記回転動作が終了した時点で押し続けていたロック解除ボタン７から手を離すと、コイルばね８の付勢により前記ロック解除ボタン７が初期の位置に押し戻され図５（ｄ）に示すように軸受具４と前記軸受具４に回動自在に軸支されるＬ字状の突起体２ａとの相対向する面にそれぞれ設けられた歯６、６’が互いに噛み合い、Ｌ字状の突起体２ａがライトポール２を収納した状態で固定されることになる。
テーブル１の下部に収納された状態のライトポール２をテーブル１の前方側部に起立させるには、前記ライトポール２をテーブル１の下部に収納した手順を逆にたどればよいことになる。
本実施例においては、相互に歯を噛み合わせる上記ロック機構を採用しているが、Ｌ字状の突起体２ａを回動自在とし、かつ、確実にロックできる周知のロック機構を採用することを妨げるものではない。
【産業上の利用可能性】
【００１２】
本発明は、歯科・医科実習用を主たる目的で行ったものであるが、照明器具を常時テーブル上に配置する必要はないが、必要の際には即座に使用できるようにしてなることが望まれる作業テーブルにも適用できる利便性を備えている。
【符号の説明】
【００１３】
１：テーブル
１ａ：天板
２：ライトポール
２ａ：Ｌ字状の突起体
２ｂ：関節部
２ｃ：アーム
３：ライト
４：軸受具
５：突起体支持具
６：軸受具の端面に設けられた歯
６’：Ｌ字状の突起体の端面に設けられた歯
７：ロック解除ボタン
８：コイルばね
【図１】
2015177935.tif 000003
【図２】
2015177935.tif 000004
【図３】
2015177935.tif 000005
【図４】
2015177935.tif 000006
【図５】
2015177935.tif 000007